(57)【特許請求の範囲】
【請求項１】
吸気口と排気口を有する本体ケースと、この本体ケース内には、吸湿部と放湿部を有する除湿ローターと、この除湿ローターを回転させる駆動手段と、第１の送風路と、吸湿経路と、前記本体ケースの下方に受皿とを備え、前記第１の送風路には、前記吸気口と、前記除湿ローターの前記吸湿部と、第１の送風手段と、前記排気口とを有し、前記吸湿経路には、前記除湿ローターの放湿部と、この放湿部の風上側に設けた発熱手段と、この放湿部の風下側に設けた再生チャンバーと、この再生チャンバーの風下側に設けた熱交換器と、この吸湿経路内の空気を循環させる第２の送風手段とを有し、前記再生チャンバーは、略箱形状で、前記除湿ローターの前記放湿部と連通する第１の開口部と、前記熱交換器と連通する第２の開口部と、前記受皿に連通する第３の開口部と、前記第１の開口部および前記除湿ローターの前記放湿部に対向するように仕切板部を設け、前記第３の開口部は、前記再生チャンバーの下部で前記仕切板部より風下側に位置することを特徴とする除湿装置。
【請求項２】
前記第３の開口部は、前記除湿ローターの回転軸方向に長い長孔である請求項１記載の除湿装置。
【請求項３】
前記除湿ローターの回転軸方向における前記仕切板部と前記再生チャンバーとの距離は、前記除湿ローターの回転軸方向における前記仕切板部と前記除湿ローターの前記放湿部との距離より長い構成とした請求項１または２記載の除湿装置。
【請求項４】
前記仕切板部の一部は、前記第１の送風路に露出する露出部を備えた構成とした請求項１〜３のいずれかに記載の除湿装置。
【請求項５】
前記仕切板部の前記露出部の下端部の下部に水受部を設け、この水受部には前記受皿に連通する連通孔を備えた請求項４に記載の除湿装置。
【発明の詳細な説明】
【技術分野】
【０００１】
本発明は、吸湿剤を担持した除湿ローターで水分を吸湿し、吸湿した水分を凝縮水として回収する構成を有した、衣類などの乾燥および室内空気を除湿する除湿装置に関するものである。
【背景技術】
【０００２】
除湿ローターで吸湿した水分を凝縮水として回収する除湿機としては、除湿ローターが吸湿した水分を加熱器で加熱して高温の再生空気に放出させ、この放出した水分を含む高湿の再生空気を凝縮器において冷却して凝縮水を回収し、水分を除去された再生空気を加熱器に戻して循環させる構成のものがあり、この再生空気循環型の構成では、高湿の再生空気が装置外部に排出されず、また、再生空気から水分を回収する際に得られる凝縮熱も利用できるため、衣類等の乾燥を素早くできるという特徴とした除湿装置が知られている。
【先行技術文献】
【特許文献】
【０００３】
【特許文献１】特開２００７−２２２８３８号公報
【発明の概要】
【発明が解決しようとする課題】
【０００４】
このような従来の除湿装置における課題は、凝縮器で生成される凝縮水や再生空気が循環する風路内で結露した結露水が水滴となり、循環風路内に溜まり、さらに除湿ローターとの境界部や接続部の隙間などから漏れ出し、除湿ローターの吸湿効率や凝縮器の冷却効率低下を招いていた。
【０００５】
すなわち、再生チャンバー内で結露した結露水の一部が除湿ローターとの境界部より漏れ出して、除湿ローターに再吸着されることが吸湿効率低下の要因になっていた。
【０００６】
また、循環風路内に溜まった水滴により循環風路内の圧損が高くなり、循環風路内に十分な風量が供給されないことが凝縮器の冷却効率低下の要因になっていた。
【０００７】
そこで本発明は、循環風路内で発生した水滴を速やかにドレンタンクへ導くことができるようにすることを目的とする。
【課題を解決するための手段】
【０００８】
そしてこの目的を達成するために本発明は、吸気口と排気口を有する本体ケースと、この本体ケース内には、吸湿部と放湿部を有する除湿ローターと、この除湿ローターを回転させる駆動手段と、第１の送風路と、吸湿経路と、前記本体ケースの下方に受皿とを備え、前記第１の送風路には、前記吸気口と、前記除湿ローターの前記吸湿部と、第１の送風手段と、前記排気口とを有し、前記吸湿経路には、前記除湿ローターの放湿部と、この放湿部の風上側に設けた発熱手段と、この放湿部の風下側に設けた再生チャンバーと、この再生チャンバーの風下側に設けた熱交換器と、この吸湿経路内の空気を循環させる第２の送風手段とを有し、前記再生チャンバーは、略箱形状で、前記除湿ローターの前記放湿部と連通する第１の開口部と、前記熱交換器と連通する第２の開口部と、前記受皿に連通する第３の開口部と、前記第１の開口部および前記除湿ローターの前記放湿部に対向するように仕切板部を設け、前記第３の開口部は、前記再生チャンバーの下部で前記仕切板部より風下側に位置するものであり、これにより初期の目的を達成するものである。
【発明の効果】
【０００９】
本発明によれば、吸気口と排気口を有する本体ケースと、この本体ケース内には、吸湿部と放湿部を有する除湿ローターと、この除湿ローターを回転させる駆動手段と、第１の送風路と、吸湿経路と、前記本体ケースの下方に受皿とを備え、前記第１の送風路には、前記吸気口と、前記除湿ローターの前記吸湿部と、第１の送風手段と、前記排気口とを有し、前記吸湿経路には、前記除湿ローターの放湿部と、この放湿部の風上側に設けた発熱手段と、この放湿部の風下側に設けた再生チャンバーと、この再生チャンバーの風下側に設けた熱交換器と、この吸湿経路内の空気を循環させる第２の送風手段とを有し、前記再生チャンバーは、略箱形状で、前記除湿ローターの前記放湿部と連通する第１の開口部と、前記熱交換器と連通する第２の開口部と、前記受皿に連通する第３の開口部と、前記第１の開口部および前記除湿ローターの前記放湿部に対向するように仕切板部を設け、前記第３の開口部は、前記再生チャンバーの下部で前記仕切板部より風下側に位置することを特徴としたものである。
【００１０】
すなわち、受皿に連通する前記第３の開口部を前記再生チャンバーの下部で前記仕切板部より風下側に位置することで、再生チャンバー内で結露した結露水が除湿ローターとの境界部より漏れ出すことなく、速やかにドレンタンクへ導くことができる。
【図面の簡単な説明】
【００１１】
【図１】本発明の実施形態を示す斜視図
【図２】同分解斜視図
【図３】同背面透視図
【図４】同正面透視図
【図５】同水抜き管を説明する要部斜視図
【図６】同第１の開口部および第２の開口部を説明する要部斜視図
【図７】同第３の開口部を説明する要部斜視図
【図８】同露出部および水受部および連通孔を説明する要部拡大斜視図
【図９】同再生チャンバー部の分解斜視図
【発明を実施するための形態】
【００１２】
（実施の形態１）
以下本発明の１実施形態を添付図面を用いて説明する。
【００１３】
図１から４に示すように、本実施形態の除湿装置は、吸気口２と排気口３を有する本体ケース１と、この本体ケース１内に、吸湿部５と放湿部６を有する除湿ローター４と、吸湿経路７とを備えている。
【００１４】
吸湿経路７は、除湿ローター４の放湿部６と、この放湿部６の風上側に設けた発熱手段であるヒーター８と、この放湿部６の風下側に設けた再生チャンバー９と、この再生チャンバー９の風下側に設けた熱交換器１０と、この熱交換器１０の風下側に設け吸湿経路７内の空気を循環させる第２の送風手段１１とを有し、吸気口２と第１の送風手段１４との間の風路に除湿ローター４の吸湿部５と熱交換器１０を併設した構成としたものである。
【００１５】
更に詳細に説明すると、図２において、本体ケース１の背面側に吸気口２が開口され、この吸気口２には着脱自在なフィルター１５が設けられており、この本体ケース１の上方には排気口３を有し、この本体ケース１の前面の下方には、熱交換器１０と第２の送風手段１１を繋ぎ凝縮水を集める受皿１２、底部には凝縮水を排水するためのドレンタンク１６が着脱自在に収納されている。
【００１６】
また、この本体ケース１内には、吸湿部５と放湿部６を有する除湿ローター４が回転自在に配置されており、その回転駆動は駆動手段であるモーター１３によって行われるようになっている。
【００１７】
さらに、この本体ケース１内の前方には、図２の矢印Ａに示す第１の送風路のごとく、本体ケース１の吸気口２から吸込んだ室内空気を、除湿ローター４の吸湿部５を通過後、排気口３から本体ケース１外に排気する第１の送風手段１４を設けている。
【００１８】
この第１の送風手段１４は、上方に吹出すファンケーシング１７と、このファンケーシング１７内に設けた羽根１８と、この羽根１８を駆動する電動機（図示せず）とを有し、除湿ローター４の吸湿部５を通過後の室内空気は、ファンケーシング１７に流入し、羽根１８で加圧され、排気口３を介して本体ケース１外に排気される。
【００１９】
また、本体ケース１内には、図３および図４に示すように吸湿経路７が設けられており、この吸湿経路７は、除湿ローター４の放湿部６と、この放湿部６の風上側に設けた発熱手段であるヒーター８と、この放湿部６の風下側に設けた再生チャンバー９と、この再生チャンバー９の風下側に設けた熱交換器１０と、この吸湿経路７内の空気を循環させる第２の送風手段１１とを有している。
【００２０】
なお、この吸湿経路７は本体ケース１内の通気路としては独立している。
【００２１】
さらに、この本体ケース１内には図２の矢印Ｂに示すごとく、第１の送風手段１４によって吸気口２から本体ケース１内に吸込んだ室内空気を、吸湿経路７の熱交換器１０を通過後、第１の送風手段１４を経由し、排気口３から本体ケース１外に排気する送風路が形成されている。
【００２２】
ただし、矢印Ｂの室内空気は、熱交換器１０内を通過する吸湿経路７の空気とは、この熱交換器１０を構成する熱伝導面を介して熱交換されるだけで、この熱交換器１０部分で混合されることはない。
【００２３】
ここで、吸湿経路７の動作について説明すると、ヒーター８で加熱された、吸湿経路７の空気は、放湿部６（除湿ローター４の吸湿部５が回転してこの放湿部６になる）において、湿気を放出させ、この高温高湿状態の空気が、風下側に設けた再生チャンバー９を介して、更に風下側の熱交換器１０に送られる。
【００２４】
この熱交換器１０には上述のごとく、矢印Ｂに示すごとく、第１の送風手段１４によって室内空気が送風されているので、高温高湿状態の空気は冷却され、これにより結露し、これがドレンタンク１６内に溜められる。
【００２５】
除湿ローター４の吸湿部５は、矢印Ａで示すごとく室内空気が通過するごとに、湿気を吸着し、これが除湿ローター４の回転により、次に上述した放湿部６となって、吸湿経路７内に湿気を放出させ、このような循環により室内空気の除湿が行われる。
【００２６】
本実施形態における特徴は、図５から図９に示すように、再生チャンバー９が略箱形状で、除湿ローター４の放湿部６と連通する第１の開口部２０と、熱交換器１０と連通する第２の開口部２１と、受皿１２に連通する第３の開口部２２を設け、第１の開口部２０および除湿ローター４の放湿部６に対向するように再生チャンバー９内に仕切板部２３を設け、第３の開口部２２は、再生チャンバー９の下部で仕切板部２３より風下側に位置する点である。
【００２７】
具体的には、再生チャンバー９は、略箱形状で、除湿ローター４側の側面には、除湿ローター４の放湿部６と連通する略扇形状の開口である第１の開口部２０を設け、熱交換器１０側の側面上部には、熱交換器１０と連通する略四角形状の第２の開口部２１を備え、下部には、受皿１２に連通する第３の開口部２２を設けている。再生チャンバー９内には、第１の開口部２０および除湿ローター４の放湿部６に対向するように垂直平面である略扇形形状の仕切板部２３を設けている。再生チャンバー９下部の最下点に位置する第３の開口部２２は、仕切板部２３より風下側に位置するものである。
【００２８】
すなわち、受皿１２に連通する第３の開口部２２を再生チャンバー９の下部で仕切板部２３より風下側に位置することで、再生チャンバー９内での空気の流れによって、再生チャンバー９内で結露した結露水が除湿ローター４との境界部より漏れ出すことなく、第３の開口部２２へ流れ込み、速やかにドレンタンクへ導くことができる。
【００２９】
また、第３の開口部２２は、除湿ローター４の回転軸方向に長い長孔である。つまり、第３の開口部２２は、除湿ローター４の回転軸と平行に位置するものである。
【００３０】
すなわち、図５から図９に示すように、再生チャンバー９内で結露した結露水は、再生チャンバー９内の最下点に集まり、仕切板部２３より風下側で除湿ローター４の回転軸方向に長い長孔である第３の開口部２２より水抜き管１９を通じて受皿１２に流れ、速やかにドレンタンク１６へ導くことができる。また、第３の開口部２２は、除湿ローター４の回転軸方向、つまり、再生チャンバー９内での空気の流れ方向に長い長孔なので、この長孔に水膜が出来ても、再生チャンバー９内での空気の流れによって、水膜は割れやすいものである。これにより、再生チャンバー９の風向を妨げることなくスムーズに結露水を流すことができるので、循環風路内に溜まった水滴による循環風路内の圧損上昇を抑えることができ、凝縮器の冷却効率の向上となる。
【００３１】
除湿ローター４の回転軸方向における仕切板部２３と再生チャンバー９との距離は、除湿ローター４の回転軸方向における仕切板部２３と除湿ローター４の放湿部６との距離より長い構成としたものである。
【００３２】
すなわち、除湿ローター４の回転軸方向における仕切板部２３と再生チャンバー９との距離を、除湿ローター４の回転軸方向における仕切板部２３と除湿ローター４の放湿部６との距離より長い構成とすることで、再生チャンバー９内の仕切板部２３の風下側の領域を拡大させることで、結露に利用できる再生チャンバー９の表面積が増加するので結露効率が向上し、再生チャンバー９内でより多くの結露水を発生させ、この結露水をドレンタンク１６へ導くことができる。
【００３３】
また、仕切板部２３の一部は、第１の送風路に露出する露出部２４を備えた構成としたものである。具体的には、第１の送風路である吸気口２と除湿ローター４との間で、吸気口２に対向して、仕切板部２３の一部である露出部２４が、位置するものである。
【００３４】
すなわち、第１の送風手段１４によって吸気口２から本体ケース１内に吸込んだ室内空気が、露出部２４に当たり、露出部２４を介して、仕切板部２３を冷却するので、再生チャンバー９内でより多くの結露水を発生させ、この結露水をドレンタンク１６へ導くことができる。
【００３５】
仕切板部２３の露出部２４の下端部の下部に水受部２５を設け、この水受部２５には受皿に連通する連通孔２６を備えたものである。
【００３６】
すなわち、第１の送風路に露出する仕切板部２３の一部である露出部２４と露出部２４の下端部の下部に水受部２５を設けたことで、露出部２４にて結露した水が、水受部２５に一端集められ、受皿１２に連通する連通孔２６より水抜き管１９を通じて受皿１２に流れ、速やかにドレンタンク１６へ導くことができる。
【００３７】
つまり、露出部２４にて結露した水が、除湿ローター４に再吸着されることを防ぐことができ、吸湿効率の向上となる。
【産業上の利用可能性】
【００３８】
以上のように本発明にかかる除湿装置は、余分な結露水を確実にドレンタンクに導いて処理することができるので、循環風路の抵抗を低減して乾燥効率を向上できるため、除湿機、乾燥機、空調機、溶剤回収装置等の高品質で高効率な除湿機能が所望される用途に適している。
【符号の説明】
【００３９】
１    本体ケース
２    吸気口
３    排気口
４    除湿ローター
５    吸湿部
６    放湿部
７    吸湿経路
８    ヒーター
９    再生チャンバー
１０  熱交換器
１１  第２の送風手段
１２  受皿
１３  モーター
１４  第１の送風手段
１５  フィルター
１６  ドレンタンク
１７  ファンケーシング
１８  羽根
１９  水抜き管
２０  第１の開口部
２１  第２の開口部
２２  第３の開口部
２３  仕切板部
２４  露出部
２５  水受部
２６  連通孔
【図１】
0005799201.tif 000002
【図２】
0005799201.tif 000003
【図３】
0005799201.tif 000004
【図４】
0005799201.tif 000005
【図５】
0005799201.tif 000006
【図６】
0005799201.tif 000007
【図７】
0005799201.tif 000008
【図８】
0005799201.tif 000009
【図９】
0005799201.tif 000010